(57)【要約】【課題】水幕によって防火・防煙を図るように構成した場合であっても、避難行動、消火活動・救助活動などを好適に行うことを可能にする防火設備を提供する。【解決手段】火災時に開閉バルブの開動とともに複数の水幕用噴出ノズル９から水Ｗを噴出させて水幕３を形成する水幕形成手段４を備えた防火設備Ａであって、水幕形成手段４が、複数の水幕用噴出ノズル９と、複数の水幕用噴出ノズル９にそれぞれ対応して設けられた複数の開閉バルブと、複数の開閉バルブを開閉制御する制御装置と、水幕３に近づいた人を検知するための人検知手段５とを備え、水幕形成時に人検知手段５によって人が検知されるとともに、制御装置が全てあるいは一部の開閉バルブを閉じて水幕用噴出ノズル９からの水Ｗの噴出を停止させるように構成する。【選択図】図３
2017209153.tif 000002
【特許請求の範囲】
【請求項１】
火災時に開閉バルブの開動とともに複数の水幕用噴出ノズルから水を噴出させて水幕を形成する水幕形成手段を備えた防火設備であって、
前記水幕形成手段が、前記複数の水幕用噴出ノズルと、前記複数の水幕用噴出ノズルにそれぞれ対応して設けられた複数の前記開閉バルブと、前記複数の開閉バルブを開閉制御する制御装置と、前記水幕に近づいた人を検知するための人検知手段及び／又は水幕形成停止手段とを備え、
水幕形成時に前記人検知手段によって人が検知されるとともに、又は手動によって前記水幕形成停止手段が操作されるとともに、前記制御装置が全てあるいは一部の前記開閉バルブを閉じて前記水幕用噴出ノズルからの水の噴出を停止させるように構成されていることを特徴とする防火設備。
【請求項２】
請求項１記載の防火設備において、
前記水幕用噴出ノズルからの水の噴出を停止してから一定時間が経過した段階で、及び／又は前記水幕形成位置を人が通り過ぎたことを検知した段階で、前記水幕用噴出ノズルから水を噴出させて前記水幕を復旧・形成するように構成されていることを特徴とする防火設備。
【請求項３】
請求項１または請求項２に記載の防火設備において、
前記水幕を挟んで非危険側で人が検知された場合には前記水幕用噴出ノズルからの水の噴出が停止しないように構成されていることを特徴とする防火設備。
【発明の詳細な説明】
【技術分野】
【０００１】
本発明は、防火設備に関する。
【背景技術】
【０００２】
例えば、病院、オフィスビル、工場、トンネル、地下駐車場などの建物・施設には、火災が発生した際に、火災検知器などの自動通報設備や押しボタン通報設備などの手動通報設備からの信号を受け、所定の時間経過後に自動的に水噴出用自動弁を開放して噴出ヘッドから一斉に水を放出する水噴出設備が消火設備／防火設備として設けられている。このような消火設備を備えることで、火災時の人命保護、延焼防止、鎮火、建物・施設や設備の保護などが図れるようにしている。
【０００３】
一方、火災時に複数の水幕用噴出ノズルから一斉に水を放出して水幕を形成することにより煙や火炎の通過を防止し、防火区画を形成するための防火設備も多用されている。このような水幕を形成する防火設備を備えることによって、さらに火災時の人命保護、延焼防止、鎮火、建物・施設や設備の保護などが図れるようにしている（例えば、特許文献１、特許文献２、特許文献３参照）。
【先行技術文献】
【特許文献】
【０００４】
【特許文献１】特開２０１５−０８４８２３号公報
【特許文献２】特開２００７−０７５１７０号公報
【特許文献３】特開２０１３−２０２１０２号公報
【発明の概要】
【発明が解決しようとする課題】
【０００５】
一方、上記のように水幕を形成するように構成した防火設備においては、水幕によって一方の側から他方の側が見えにくくなり（見えなくなり）、一方の側から光や人影などを認識することが困難になる場合がある。
【０００６】
この場合には、水幕によって煙や火炎の通過を防止できるという大きな効果が発揮される反面、避難者の適切な避難行動（適切な非難経路の判別など）、消防士等による迅速な消火活動・救助活動の支障になることも考えられる。
【０００７】
さらに、避難者の避難行動や消防士などの消火活動・救助活動の際に、水幕を通過して一方の側から他方の側に移動するとき、水幕によって通過者が濡れてしまう。例えば、病院で火災が発生した場合など、歩行やベッドに寝た状態で避難する患者やベッド、各種機器などが水に濡れてしまう。
【０００８】
本発明は、上記事情に鑑み、水幕によって防火・防煙を図るように構成した場合であっても、避難行動、消火活動・救助活動などを好適に行うことを可能にする防火設備を提供することを目的とする。
【課題を解決するための手段】
【０００９】
上記の目的を達するために、この発明は以下の手段を提供している。
【００１０】
本発明の防火設備は、火災時に開閉バルブの開動とともに複数の水幕用噴出ノズルから水を噴出させて水幕を形成する水幕形成手段を備えた防火設備であって、前記水幕形成手段が、前記複数の水幕用噴出ノズルと、前記複数の水幕用噴出ノズルにそれぞれ対応して設けられた複数の前記開閉バルブと、前記複数の開閉バルブを開閉制御する制御装置と、前記水幕に近づいた人を検知するための人検知手段及び／又は水幕形成停止手段とを備え、水幕形成時に前記人検知手段によって人が検知されるとともに、又は前記水幕形成停止手段が手動操作されるとともに、前記制御装置が全てあるいは一部の前記開閉バルブを閉じて前記水幕用噴出ノズルからの水の噴出を停止させるように構成されていることを特徴とする。
【００１１】
また、本発明の防火設備においては、前記水幕用噴出ノズルからの水の噴出を停止してから一定時間が経過した段階で、及び／又は前記水幕形成位置を人が通り過ぎたことを検知した段階で、前記水幕用噴出ノズルから水を噴出させて前記水幕を復旧・形成するように構成されていることが望ましい。
【００１２】
さらに、本発明の防火設備においては、前記水幕を挟んで非危険側で人が検知された場合には前記水幕用噴出ノズルからの水の噴出が停止しないように構成されていることがより望ましい。
【発明の効果】
【００１３】
本発明の防火設備においては、水幕を通過しようとする避難者などの通過者がある程度水幕に近づいて人検知手段がこれを検知するとともに、自動的に水幕の少なくとも一部が形成されなくなり、この部分を通過することで水に濡れることなく水幕の反対側に移動することが可能になる。
【００１４】
あるいは、水幕を通過しようとする避難者などの通過者がリモコンやボタンなどの水幕形成停止手段を手動操作するとともに、水幕の少なくとも一部が形成されなくなり、この部分を通過することで水に濡れることなく水幕の反対側に移動することが可能になる。
【００１５】
さらに、このように水幕の少なくとも一部の形成が停止することによって、水幕を挟んで一方の側から水の噴出が途切れる等した部分を通じて他方の側（反対側）を臨むことができる。これにより、水幕で防火区画を形成した状態であっても、避難者や消防士等が水幕を挟んで反対側の状況を把握することが可能になる。
【００１６】
よって、本発明の防火設備によれば、水幕によって防火・防煙を図るようにした場合であっても、水幕が避難者の適切な避難行動や、消防士等による迅速な消火活動・救助活動の支障になることを解消することができる。
【００１７】
また、水幕用噴出ノズルからの水の噴出を停止してから一定時間が経過した段階で、及び／又は水幕形成位置を人が通り過ぎたことを検知した段階で、水幕用噴出ノズルから水を噴出させて水幕を復旧・形成するように構成すれば、避難者や消防士等の誘導、活動を有効適切に行えるようにしつつ、防火区画を好適に形成することが可能になる。
【００１８】
さらに、水幕を挟んで非危険側（例えば、火災発生の反対側など）で人が検知された場合に水幕用噴出ノズルからの水の噴出が停止しないように構成することで、避難者や消防士等を非危険側に留まるように認識させたり、促すことが可能になる。
【図面の簡単な説明】
【００１９】
【図１】本発明の一実施形態に係る防火設備を示す図である。
【図２】本発明の一実施形態に係る防火設備の水幕形成手段によって水幕を形成した状態を示す図である。
【図３】本発明の一実施形態に係る防火設備において、人検知手段が人を検知し、水幕形成手段の一部の水幕用噴出ノズルからの水の噴出を停止させた状態を示す図である。
【発明を実施するための形態】
【００２０】
以下、図１及び図２を参照し、本発明の一実施形態に係る防火設備について説明する。
【００２１】
ここで、本実施形態の防火設備は、病院、オフィスビル、工場、トンネル、地下駐車場などの建物・施設などに設けられ、火災時に火災検知器などの自動通報設備や押しボタン通報設備などの手動通報設備からの信号を受け、水を放出して水幕（ウォータースクリーン、ウォーターカーテン）を形成して煙や火炎の通過を防止し、防火区画を形成するためのものである。
【００２２】
具体的に、本実施形態の防火設備Ａは、図１及び図２に示すように、火災検知器１などの自動通報設備や押しボタン通報設備２などの手動通報設備からの信号を受けて火災が検知されるとともに、水Ｗを放出させて水幕３を形成する水幕形成手段４を備えて構成されている。
【００２３】
水幕形成手段４は、例えば、貯水槽６と、火災検知器１などの自動通報設備や押しボタン通報設備２などの手動通報設備からの信号に応じて駆動する圧送ポンプ７と、貯水槽６から圧送ポンプ７の駆動によって水Ｗ（消火剤／防火剤）を圧送するための主配管８と、主配管８から複数に分岐した水幕用分岐配管の先端にそれぞれ取り付けて配列され、圧送された水Ｗを噴出して水幕３を形成するための複数の水幕用噴出ノズル９とを備えている。
【００２４】
さらに、水幕形成手段４は、複数の水幕用分岐配管にそれぞれ設けられ、その開閉駆動によって水幕用噴出ノズル９から水Ｗを噴出／停止させる複数の開閉バルブ１０と、主配管８に設けられ、水Ｗの圧送状態を検知する流水検知装置１１と、主配管８から各水幕用分岐配管に圧送される水Ｗの圧力を調節するための調圧バルブ１２と、流水検知装置１１で水Ｗの圧送が検知されるとともに、受信機１３を通じてこの検知結果を受け、各開閉バルブ１０の開閉駆動を制御する制御装置１４とを備えている。
【００２５】
さらに、本実施形態の水幕形成手段４は、主配管８から複数に分岐してスプリンクラー用分岐配管が設けられ、各スプリンクラー用分岐配管に接続し、水Ｗを噴射するスプリンクラー用噴出ヘッド（スプリンクラーヘッド）１５を備えて構成されている。
【００２６】
また、主配管８には、屋内消火栓用分岐配管が分岐接続され、この屋内消火栓用分岐配管に屋内消火栓１６が接続して設けられている。
【００２７】
なお、水幕用噴出ノズル９から水Ｗを噴出して水幕３を形成することが可能であれば、必ずしも噴出した水Ｗが落下することによって水幕３を形成しなくてもよく、例えば横方向に水Ｗを噴出することで水幕３を形成するように構成してもよい。
【００２８】
さらに、本実施形態の防火設備Ａでは、主配管８の末端側に、末端試験弁２０とオリフィス２１からなる末端試験装置２２が設けられている。また、オリフィス２１はスプリンクラー用噴出ヘッド１５が１台作動した場合に相当する放水流量を流すように構成されている。そして、この末端試験装置２２においては、末端試験弁２０を開動させ、オリフィス２１にスプリンクラー用噴出ヘッド１５の１台の作動に相当する試験流量を流すことで、所定の放水圧力が得られているか否かを確認することができる。
【００２９】
さらに、本実施形態の水幕形成手段４においては、複数の水幕用噴出ノズル９から放出した水Ｗによって水幕３が形成される位置から所定の距離離間した位置に避難者や消防士などの人を検知するための人検知手段５が設けられている。この人検知手段５は、人を検知可能であればあらゆる手段を用いることが可能であり、人が所持しているＲＦ（ＲＦＩＤ）タグを識別・検出するリーダや、人感センサ等を例として挙げることができる。
【００３０】
なお、病院などにおいては、ナースキャップや関係者証（社員証など）、ベッドなどに取り付けられたＲＦタグをリーダで識別・検出するように人検知手段５が構成されていてもよい。
【００３１】
上記のように構成した本実施形態の防火設備Ａにおいては、火災が発生し、火災検知器１などの自動通報設備や押しボタン通報設備２などの手動通報設備によってこれが検知されると、その信号を受けた制御装置１４によって圧送ポンプ７が駆動し、貯水槽６から主配管８に水Ｗが圧送され、スプリンクラー用噴出ヘッド１５から水Ｗが消火剤として噴射する。
【００３２】
また、主配管８に水Ｗが圧送されると、流水検知装置１１がこれを検知し、検知信号を制御装置１４に送る。そして、この検知信号を受けた制御装置１４が複数の開閉バルブ１０を開制御し、複数の水幕用噴出ノズル９から水Ｗを噴出させる。これにより、図２に示すように、水幕３が形成され、防火区画が形成される。
【００３３】
一方、本実施形態の防火設備Ａにおいては、図１に示すように、上記のように水幕３が形成された後、この水幕３を通過しようとする避難者などの通過者がある程度水幕３に近づくと、人検知手段５によって検知され、その検知信号が制御装置１４に送られる。
【００３４】
そして、制御装置１４が複数の開閉バルブ１０の全て、あるいは一部を閉動させ、全てあるいは一部の水幕用噴出ノズル９からの水Ｗの噴出を停止させる。これにより、図３に示すように、水幕３の少なくとも一部が形成されなくなり、通過者がこの水幕３が無くなった部分を通ることで、水Ｗに濡れることなく一方の側から他方の側に（反対側に）移動できる。
【００３５】
また、水幕３の少なくとも一部が形成されなくなるため、この部分を通じて通過者は水幕３の反対側を臨むことができ、反対側の状況を確認することができる。
【００３６】
したがって、本実施形態の防火設備においては、水幕３を通過しようとする避難者などの通過者がある程度水幕３に近づくだけで、自動的に水幕３の少なくとも一部が形成されなくなり、この部分を通過することで水Ｗに濡れることなく水幕３の反対側に移動することが可能になる。
【００３７】
また、水幕３を挟んで一方の側から、水Ｗの噴出が途切れる等した部分を通じて他方の側（反対側）を臨むことができる。これにより、水幕３で防火区画を形成した状態であっても、避難者や消防士等が水幕３を挟んで反対側の状況を把握することが可能になる。
【００３８】
よって、本実施形態の防火設備Ａによれば、水幕３によって防火・防煙を図るようにした場合であっても、水幕３が避難者の適切な避難行動や、消防士等による迅速な消火活動・救助活動の支障になることを解消することができる。
【００３９】
以上、本発明に係る防火設備の一実施形態について説明したが、本発明は上記の一実施形態に限定されるものではなく、その趣旨を逸脱しない範囲で適宜変更可能である。
【００４０】
例えば、本実施形態では、防火設備Ａがスプリンクラー設備、屋内消火栓などを備えているものとしたが、本発明は、少なくとも水幕を形成するための手段、人を検知して水幕の形成を停止させる手段を備えていればよい。
【００４１】
さらに、水幕形成用の水Ｗを貯水槽６からポンプで供給するのではなく、水道に主配管を直結して供給するように構成してもよい。
【００４２】
また、本実施形態では、複数の水幕用噴出ノズル９が直線状に配列されているように図示したが、必ずしも直線配列されていなくてもよい。
【００４３】
また、リモコンやボタンなどの水幕形成停止手段を備え、この水幕形成停止手段が手動操作されるとともに、制御装置１４が全てあるいは一部の開閉バルブ１０を閉じて水幕用噴出ノズル９からの水Ｗの噴出を停止させるように防火設備Ａを構成してもよい。
【００４４】
この場合には、水幕３を通過しようとする避難者などの通過者がリモコンやボタンなどの水幕形成停止手段を手動操作するとともに、水幕３の少なくとも一部が形成されなくなり、この部分を通過することで水Ｗに濡れることなく水幕３の反対側に移動することが可能になる。
【００４５】
さらに、水幕用噴出ノズル９からの水Ｗの噴出を停止してから一定時間が経過した段階で、及び／又は水幕形成位置を人が通り過ぎたことを検知した段階で、水幕用噴出ノズル９から水Ｗを噴出させて水幕３を復旧・形成するように防火設備Ａを構成してもよい。
【００４６】
このように一定時間が経過した段階、人が通り過ぎた段階で水幕３を復旧・形成するように構成すれば、避難者や消防士等の誘導、活動を有効適切に行えるようにしつつ、防火区画を好適に形成することが可能になる。
【００４７】
さらに、水幕３を挟んで非危険側で人が検知された場合には水幕用噴出ノズル９からの水Ｗの噴出が停止しないように防火設備Ａを構成してもよい。
【００４８】
この場合には、水幕３を挟んで非危険側（例えば火災発生の反対側など）で人が検知された場合に水幕用噴出ノズル９からの水Ｗの噴出が停止しないことで、避難者や消防士等を非危険側に留まるように認識させたり、促すことが可能になる。
【符号の説明】
【００４９】
１      火災検知器
２      押しボタン通報設備
３      水幕
４      水幕形成手段
５      人検知手段
６      貯水槽
７      圧送ポンプ
８      主配管
９      水幕用噴出ノズル
１０    開閉バルブ
１１    流水検知装置
１２    調圧バルブ
１３    受信機
１４    制御装置
１５    スプリンクラー用噴出ヘッド（スプリンクラーヘッド）
１６    屋内消火栓
１７    避難口
２０    末端試験弁
２１    オリフィス
２２    末端試験装置
Ａ      防火設備
Ｗ      水
【図１】
2017209153.tif 000003
【図２】
2017209153.tif 000004
【図３】
2017209153.tif 000005